【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
帳票の形式を定義するフォームデータと帳票データとから構成される帳票実績ファイルに対するセキュリティレベルの設定を行う帳票登録装置であって、
セキュリティレベルを設定するために用いる複数の文字列を記憶装置に記憶する第一の記憶手段と、
前記第一の記憶手段により記憶された文字列により作成される組み合わせの条件と前記組み合わせの条件に指定されたセキュリティレベルとを対応付けて記憶装置に記憶する第二の記憶手段と、
前記帳票データを受信する受信手段と、
前記受信手段で受信された帳票データに対応する前記フォームデータに文字出力命令が定義されている場合、前記定義される文字列を取得する取得手段と、
前記取得手段により取得された文字列から作成される組み合わせが、前記第二の記憶手段により前記記憶装置に記憶された組み合わせの条件を満たすか否かを判定する第一の判定手段と、
前記第一の判定手段による判定の結果、組み合わせの条件を満たすと判定された場合には、前記組み合わせの条件に対応する前記第二の記憶手段により記憶されたセキュリティレベルを、前記文字出力命令が定義されるフォームデータと前記フォームデータに対応する前記帳票データとから構成される前記帳票実績ファイルに対するセキュリティレベルとして設定する設定手段と、
を有することを特徴とする帳票登録装置。
【請求項２】
前記設定手段は、前記第一の判定手段による判定の結果、組み合わせの条件を満たさないと判定された場合には、前記取得手段により取得された文字列の取得数に応じて予め指定されたセキュリティレベルを、前記文字出力命令が定義されるフォームデータと前記フォームデータに対応する前記帳票データとから構成される前記帳票実績ファイルに対するセキュリティレベルとして設定することを特徴とする請求項１に記載の帳票登録装置。
【請求項３】
前記設定手段は、前記第一の判定手段による判定の結果、複数の組み合わせが組み合わせの条件を満たすと判定された場合には、前記複数の組み合わせ条件にそれぞれ対応する前記第二の記憶手段により記憶されたセキュリティレベルの中から最も高いセキュリティレベルを、前記文字出力命令が定義されるフォームデータと前記フォームデータに対応する前記帳票データとから構成される前記帳票実績ファイルに対するセキュリティレベルとして設定することを特徴とする請求項１又は２に記載の帳票登録装置。
【請求項４】
前記取得手段により取得された文字列が、前記第一の記憶手段により記憶された文字列に含まれるか否かを判定する第二の判定手段を更に有し、
前記設定手段は、前記第二の判定手段による判定の結果、含まれないと判定された場合には、前記第一の判定手段による判定の結果に係わらず、前記文字出力命令が定義されるフォームデータと前記フォームデータに対応する前記帳票データとから構成される前記帳票実績ファイルに対してセキュリティレベルを設定しないことを特徴とする請求項１乃至３の何れか１項に記載の帳票登録装置。
【請求項５】
前記第一の記憶手段は、前記複数の文字列に対応する類似語をそれぞれの文字列毎に記憶装置に記憶し、
前記第二の判定手段は、前記取得手段により取得された文字列が、前記第一の記憶手段により記憶された文字列及び前記文字列に対応する前記類似語に含まれるか否かを判定し、
前記設定手段は、前記第二の判定手段による判定の結果、含まれると判定された場合には、前記第一の判定手段による判定の結果に基づいて、前記文字出力命令が定義されるフォームデータと前記フォームデータに対応する前記帳票データとから構成される前記帳票実績ファイルに対してセキュリティレベルを設定することを特徴とする請求項４に記載の帳票登録装置。
【請求項６】
帳票の形式を定義するフォームデータと帳票データとから構成される帳票実績ファイルに対するセキュリティレベルの設定を行う帳票登録装置における帳票登録方法であって、
セキュリティレベルを設定するために用いる複数の文字列を記憶装置に記憶する第一の記憶ステップと、
前記第一の記憶ステップにより記憶された文字列により作成される組み合わせの条件と前記組み合わせの条件に指定されたセキュリティレベルとを対応付けて記憶装置に記憶する第二の記憶ステップと、
前記帳票データを受信する受信ステップと、
前記受信ステップで受信された帳票データに対応する前記フォームデータに文字出力命令が定義されている場合、前記定義される文字列を取得する取得ステップと、
前記取得ステップにより取得された文字列から作成される組み合わせが、前記第二の記憶ステップにより前記記憶装置に記憶された組み合わせの条件を満たすか否かを判定する第一の判定ステップと、
前記第一の判定ステップによる判定の結果、組み合わせの条件を満たすと判定された場合には、前記組み合わせの条件に対応する前記第二の記憶ステップにより記憶されたセキュリティレベルを、前記文字出力命令が定義されるフォームデータと前記フォームデータに対応する前記帳票データとから構成される前記帳票実績ファイルに対するセキュリティレベルとして設定する設定ステップと、
を有することを特徴とする帳票登録方法。
【請求項７】
帳票の形式を定義するフォームデータと帳票データとから構成される帳票実績ファイルに対するセキュリティレベルの設定を行うコンピュータを、
セキュリティレベルを設定するために用いる複数の文字列を記憶装置に記憶する第一の記憶手段と、
前記第一の記憶手段により記憶された文字列により作成される組み合わせの条件と前記組み合わせの条件に指定されたセキュリティレベルとを対応付けて記憶装置に記憶する第二の記憶手段と、
前記帳票データを受信する受信手段と、
前記受信手段で受信された帳票データに対応する前記フォームデータに文字出力命令が定義されている場合、前記定義される文字列を取得する取得手段と、
前記取得手段により取得された文字列から作成される組み合わせが、前記第二の記憶手段により前記記憶装置に記憶された組み合わせの条件を満たすか否かを判定する第一の判定手段と、
前記第一の判定手段による判定の結果、組み合わせの条件を満たすと判定された場合には、前記組み合わせの条件に対応する前記第二の記憶手段により記憶されたセキュリティレベルを、前記文字出力命令が定義されるフォームデータと前記フォームデータに対応する前記帳票データとから構成される前記帳票実績ファイルに対するセキュリティレベルとして設定する設定手段と、
して機能させることを特徴とするプログラム。
【請求項８】
請求項７に記載のプログラムを記憶したコンピュータが読み取り可能な記憶媒体。
【手続補正２】
【補正対象書類名】明細書
【補正対象項目名】発明の名称
【補正方法】変更
【補正の内容】
【発明の名称】帳票登録装置、帳票登録方法、プログラム及び記憶媒体
【手続補正３】
【補正対象書類名】明細書
【補正対象項目名】０００１
【補正方法】変更
【補正の内容】
【０００１】
本発明は、帳票登録装置、帳票登録方法、プログラム及び記憶媒体に関する。
【手続補正４】
【補正対象書類名】明細書
【補正対象項目名】０００７
【補正方法】変更
【補正の内容】
【０００７】
そこで、上記問題を解決するため、本発明は、帳票の形式を定義するフォームデータと帳票データとから構成される帳票実績ファイルに対するセキュリティレベルの設定を行う帳票登録装置であって、セキュリティレベルを設定するために用いる複数の文字列を記憶装置に記憶する第一の記憶手段と、前記第一の記憶手段により記憶された文字列により作成される組み合わせの条件と前記組み合わせの条件に指定されたセキュリティレベルとを対応付けて記憶装置に記憶する第二の記憶手段と、前記帳票データを受信する受信手段と、前記受信手段で受信された帳票データに対応する前記フォームデータに文字出力命令が定義されている場合、前記定義される文字列を取得する取得手段と、前記取得手段により取得された文字列から作成される組み合わせが、前記第二の記憶手段により前記記憶装置に記憶された組み合わせの条件を満たすか否かを判定する第一の判定手段と、前記第一の判定手段による判定の結果、組み合わせの条件を満たすと判定された場合には、前記組み合わせの条件に対応する前記第二の記憶手段により記憶されたセキュリティレベルを、前記文字出力命令が定義されるフォームデータと前記フォームデータに対応する前記帳票データとから構成される前記帳票実績ファイルに対するセキュリティレベルとして設定する設定手段と、を有することを特徴とする。
【手続補正５】
【補正対象書類名】明細書
【補正対象項目名】０００８
【補正方法】変更
【補正の内容】
【０００８】
かかる構成とすることにより、電子帳票に応じて、電子帳票のセキュリティレベルを設定することができる。
【手続補正６】
【補正対象書類名】明細書
【補正対象項目名】０００９
【補正方法】変更
【補正の内容】
【０００９】
なお、帳票登録装置とは、例えば、後述する帳票サーバ１等に対応する。
【手続補正７】
【補正対象書類名】明細書
【補正対象項目名】００１０
【補正方法】変更
【補正の内容】
【００１０】
また、上記問題を解決するため、本発明は、帳票登録方法、プログラム及び記憶媒体としてもよい。